(57)【要約】【課題】無線接続の状態を効率的に切り替えることができるプリンタを提供する。【解決手段】プリンタ２００は、携帯端末１００からブロードキャストで発信される無線信号であって、携帯端末と無線接続するための接続情報を含む無線信号である報知信号を受信する通信部２１０と、携帯端末とは異なる通信装置と無線接続された状態、または、いずれの通信装置とも無線接続されていない状態である第１接続状態において、報知信号に含まれる接続情報を用いて携帯端末との無線接続を開始することにより、第１接続状態から、携帯端末と無線接続される状態である第２接続状態へ切り替える接続部２２１と、第２接続状態において携帯端末から受信される印刷データに基づいて印刷を行う印刷部２３０と、印刷が終了したか否かを判定する判定部１２２と、印刷が終了したと判定された場合に、プリンタの無線接続の状態を第１接続状態に戻す復帰部２２３とを備える。【選択図】図２
2015115925.tif 000002
【特許請求の範囲】
【請求項１】
無線通信機能を有するプリンタであって、
携帯端末からブロードキャストで発信される無線信号であって、前記携帯端末と無線接続するための接続情報を含む無線信号である報知信号を受信する通信部と、
前記携帯端末とは異なる通信装置と無線接続された状態、または、いずれの通信装置とも無線接続されていない状態である第１接続状態において、前記報知信号に含まれる前記接続情報を用いて前記携帯端末との無線接続を開始することにより、前記第１接続状態から、前記携帯端末と無線接続される状態である第２接続状態へ切り替える接続部と、
前記第２接続状態において前記携帯端末から受信される印刷データに基づいて印刷を行う印刷部と、
前記印刷が終了したか否かを判定する判定部と、
前記印刷が終了したと判定された場合に、前記プリンタの無線接続の状態を前記第１接続状態に戻す復帰部とを備える
プリンタ。
【請求項２】
前記復帰部は、さらに、前記プリンタを停止状態にするための動作が開始された場合に、前記プリンタの無線接続の状態を前記第１接続状態に戻す
請求項１に記載のプリンタ。
【請求項３】
前記接続情報は、ＳＳＩＤ（Ｓｅｒｖｉｃｅ  Ｓｅｔ  Ｉｄｅｎｔｉｆｉｅｒ）を含み、
前記接続部は、前記ＳＳＩＤが予め定められた文字列を含むか否かを判定し、前記ＳＳＩＤが予め定められた文字列を含むと判定された場合に前記携帯端末との無線接続を開始する
請求項１または２に記載のプリンタ。
【請求項４】
前記接続情報は、前記携帯端末の物理アドレスを含み、
前記接続部は、前記物理アドレスが予め定められた番号を含むか否かを判定し、前記物理アドレスが前記予め定められた番号を含むと判定された場合に前記携帯端末との無線接続を開始する
請求項１または２に記載のプリンタ。
【請求項５】
前記接続部は、前記報知信号の強度が閾値強度以上であるか否かを判定し、前記報知信号の強度が前記閾値強度以上であると判定された場合に前記携帯端末との無線接続を開始する
請求項１〜４のいずれか１項に記載のプリンタ。
【請求項６】
印刷データを無線通信する印刷システムであって、
携帯端末と、
無線通信機能を有するプリンタとを備え、
前記携帯端末は、
前記プリンタとは異なる通信装置と無線接続された状態、または、いずれの通信装置とも無線接続されていない状態である第１接続状態において、前記プリンタとの無線接続を開始することにより、前記第１接続状態から、前記プリンタと無線接続される状態である第２接続状態へ切り替える接続部と、
前記第２接続状態において前記プリンタに印刷データを送信する通信部と、
前記印刷データの送信が終了したか否かを判定する判定部と、
前記印刷データの送信が終了したと判定された場合に、前記携帯端末の無線接続の状態を前記第１接続状態に戻す復帰部とを備える
印刷システム。
【請求項７】
前記復帰部は、さらに、前記携帯端末を停止状態にするための動作が開始された場合に、前記携帯端末の無線接続の状態を前記第１接続状態に戻す
請求項６に記載の印刷システム。
【請求項８】
前記プリンタは、当該プリンタと無線接続するための接続情報を含む報知信号をブロードキャストで発信し、
前記携帯端末は、さらに、前記報知信号を受信し、前記接続情報を用いて接続要求信号を発信する通信部を備え、
前記プリンタは、前記接続要求信号を受信した場合に前記接続要求信号に対応する接続応答信号を前記携帯端末に送信し、
前記携帯端末の前記接続部は、前記接続応答信号を受信したときに前記プリンタとの無線接続を開始する
請求項６または７に記載の印刷システム。
【発明の詳細な説明】
【技術分野】
【０００１】
本発明は、携帯端末から無線通信により印刷を行うためのプリンタおよび印刷システムに関する。
【背景技術】
【０００２】
コンピュータとプリンタとを無線接続して印刷を行う技術が提案されている。例えば、特許文献１には、パーソナルコンピュータとプリンタとを無線接続する技術が開示されている。このようにコンピュータとプリンタとを無線接続することにより、印刷のためにコンピュータとプリンタとを有線接続しなくてもよい。
【先行技術文献】
【特許文献】
【０００３】
【特許文献１】特開２００６−６０５７８号公報
【発明の概要】
【発明が解決しようとする課題】
【０００４】
しかしながら、携帯端末およびプリンタは、他の通信装置との無線接続が必要な場合もある。そのような場合、携帯端末またはプリンタの無線接続の状態を適切に切り替える必要がある。
【０００５】
そこで、本発明は、無線接続の状態を適切に切り替えることができるプリンタ、および、無線接続の状態を適切に切り替えることができる携帯端末またはプリンタを備える印刷システムを提供する。
【課題を解決するための手段】
【０００６】
本発明の一態様に係るプリンタは、無線通信機能を有するプリンタであって、携帯端末からブロードキャストで発信される無線信号であって、前記携帯端末と無線接続するための接続情報を含む無線信号である報知信号を受信する通信部と、前記携帯端末とは異なる通信装置と無線接続された状態、または、いずれの通信装置とも無線接続されていない状態である第１接続状態において、前記報知信号に含まれる前記接続情報を用いて前記携帯端末との無線接続を開始することにより、前記第１接続状態から、前記携帯端末と無線接続される状態である第２接続状態へ切り替える接続部と、前記第２接続状態において前記携帯端末から受信される印刷データに基づいて印刷を行う印刷部と、前記印刷が終了したか否かを判定する判定部と、前記印刷が終了したと判定された場合に、前記プリンタの無線接続の状態を前記第１接続状態に戻す復帰部とを備える。
【０００７】
この構成によれば、携帯端末から報知信号が発信される場合において、印刷が終了したと判定されたときに、プリンタの無線接続の状態を元の接続状態（第１接続状態）に戻すことができる。したがって、無線親機である携帯端末と無線子機であるプリンタとの印刷のための無線接続が不要となったときに、プリンタの無線接続の状態を自動的に元の接続状態に戻すことができる。つまり、プリンタの無線接続の状態を適切に切り替えることができる。例えば、プリンタが携帯端末に無線接続されている第２接続状態から、プリンタがアクセスポイントに接続されている第１接続状態に自動的に切り替えることができる。この場合、プリンタがアクセスポイントと接続されていない時間を短縮することができるので、アクセスポイントを介してプリンタに接続される他の通信装置（例えばパーソナルコンピュータ等）からの印刷が不可能な時間を短縮することができる。また、印刷が終了した後に元の接続状態に戻すための操作をユーザが手動で行う必要がないので、ユーザの利便性を向上させることも可能となる。
【０００８】
例えば、前記復帰部は、さらに、前記プリンタを停止状態にするための動作が開始された場合に、前記プリンタの無線接続の状態を前記第１接続状態に戻してもよい。
【０００９】
この構成によれば、プリンタを停止状態にするための動作が開始された場合に、プリンタの無線接続の状態を第１接続状態に戻すことができる。したがって、その後プリンタが稼働状態に戻ったときに、ユーザが手動で無線接続先を携帯端末から他の通信装置に切り替える必要がなく、ユーザの利便性を向上させることができる。
【００１０】
例えば、前記接続情報は、ＳＳＩＤ（Ｓｅｒｖｉｃｅ  Ｓｅｔ  Ｉｄｅｎｔｉｆｉｅｒ）を含み、前記接続部は、前記ＳＳＩＤが予め定められた文字列を含むか否かを判定し、前記ＳＳＩＤが予め定められた文字列を含むと判定された場合に前記携帯端末との無線接続を開始してもよい。
【００１１】
この構成によれば、ＳＳＩＤが予め定められた文字列を含むと判定された場合に携帯端末との無線接続を開始することができる。したがって、プリンタを利用可能な携帯端末またはアプリケーションソフトウェアを限定することができ、印刷ができないなどの不要な混乱を抑制することができる。
【００１２】
例えば、前記接続情報は、前記携帯端末の物理アドレスを含み、前記接続部は、前記物理アドレスが予め定められた番号を含むか否かを判定し、前記物理アドレスが前記予め定められた番号を含むと判定された場合に前記携帯端末との無線接続を開始してもよい。
【００１３】
この構成によれば、携帯端末の物理アドレスが予め定められた番号を含むと判定された場合に携帯端末との無線接続を開始することができる。したがって、プリンタを利用可能な携帯端末を限定することができ、印刷ができないなどの不要な混乱を抑制することができる。
【００１４】
例えば、前記接続部は、前記報知信号の強度が閾値強度以上であるか否かを判定し、前記報知信号の強度が前記閾値強度以上であると判定された場合に前記携帯端末との無線接続を開始してもよい。
【００１５】
この構成によれば、報知信号の強度が閾値強度以上であると判定された場合に携帯端末との無線接続を開始することができる。したがって、プリンタから大きく離れている携帯端末がプリンタと無線接続することを抑制することができ、プリンタのセキュリティを向上させることができる。
【００１６】
本発明の一態様に係る印刷システムは、印刷データを無線通信する印刷システムであって、携帯端末と、無線通信機能を有するプリンタとを備え、前記携帯端末は、前記プリンタとは異なる通信装置と無線接続された状態、または、いずれの通信装置とも無線接続されていない状態である第１接続状態において、前記プリンタとの無線接続を開始することにより、前記第１接続状態から、前記プリンタと無線接続される状態である第２接続状態へ切り替える接続部と、前記第２接続状態において前記プリンタに印刷データを送信する通信部と、前記印刷データの送信が終了したか否かを判定する判定部と、前記印刷データの送信が終了したと判定された場合に、前記携帯端末の無線接続の状態を前記第１接続状態に戻す復帰部とを備える。
【００１７】
この構成によれば、印刷データの送信が終了したと判定された場合に、携帯端末の無線接続の状態を元の接続状態（第１接続状態）に戻すことができる。したがって、携帯端末とプリンタとの印刷のための無線接続が不要となったときに、携帯端末の無線接続の状態を自動的に元の接続状態に戻すことができる。つまり、携帯端末の無線接続の状態を適切に切り替えることができる。例えば、印刷のためにプリンタに無線接続されている第２接続状態から、インターネット通信のためにアクセスポイントに接続されている第１接続状態に自動的に切り替えることができる。この場合、携帯端末がアクセスポイントと接続されていない時間を短縮することができる。また、印刷データの送信が終了した後に、元の接続状態に戻すための操作をユーザが手動で行う必要がないので、ユーザの利便性を向上させることも可能となる。
【００１８】
例えば、前記復帰部は、さらに、前記携帯端末を停止状態にするための動作が開始された場合に、前記携帯端末の無線接続の状態を前記第１接続状態に戻してもよい。
【００１９】
この構成によれば、携帯端末は、携帯端末を停止状態にするための動作が開始された場合に、携帯端末の無線接続の状態を第１接続状態に戻すことができる。したがって、その後携帯端末が稼働状態に戻ったときに、ユーザが手動で無線接続先をプリンタから他の通信装置に切り替える必要がなく、ユーザの利便性を向上させることができる。
【００２０】
例えば、前記プリンタは、当該プリンタと無線接続するための接続情報を含む報知信号をブロードキャストで発信し、前記携帯端末は、さらに、前記報知信号を受信し、前記接続情報を用いて接続要求信号を発信する通信部を備え、前記プリンタは、前記接続要求信号を受信した場合に前記接続要求信号に対応する接続応答信号を前記携帯端末に送信し、前記携帯端末の前記接続部は、前記接続応答信号を受信したときに前記プリンタとの無線接続を開始してもよい。
【００２１】
この構成によれば、プリンタから報知信号が発信される場合に、印刷データの送信が終了したと判定されたときに、携帯端末の無線接続の状態を元の接続状態（第１接続状態）に戻すことができる。つまり、プリンタが無線親機であり、携帯端末が無線子機である場合に、携帯端末の無線接続の状態を適切に切り替えることができる。
【発明の効果】
【００２２】
本発明の一態様に係るプリンタおよび印刷システムは、無線接続の状態を適切に切り替えることができる。
【図面の簡単な説明】
【００２３】
【図１】実施の形態１に係る印刷システムの構成を示す図である。
【図２】実施の形態１に係る携帯端末およびプリンタの機能構成を示すブロック図である。
【図３】実施の形態１に係る携帯端末およびプリンタ間のメッセージおよびデータの流れを示すシーケンス図である。
【図４】実施の形態１に係る携帯端末の処理動作を示すフローチャートである。
【図５】実施の形態１に係るプリンタの処理動作を示すフローチャートである。
【図６】実施の形態２に係る印刷システムの構成を示す図である。
【図７】実施の形態２に係る携帯端末およびプリンタの機能構成を示すブロック図である。
【図８】実施の形態２に係る携帯端末およびプリンタ間のメッセージおよびデータの流れを示すシーケンス図である。
【図９】実施の形態２に係る携帯端末の処理動作を示すフローチャートである。
【図１０】実施の形態２に係るプリンタの処理動作を示すフローチャートである。
【図１１】実施の形態３に係る印刷システムの構成を示す図である。
【図１２】実施の形態３に係る携帯端末およびプリンタの機能構成を示すブロック図である。
【図１３】実施の形態３に係る携帯端末およびプリンタ間のメッセージおよびデータの流れを示すシーケンス図である。
【図１４】実施の形態３に係る携帯端末の処理動作を示すフローチャートである。
【発明を実施するための形態】
【００２４】
以下、実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置および接続形態、ステップ、ステップの順序などは、一例であり、本発明を限定する主旨ではない。以下の実施の形態における構成要素のうち、独立請求項に記載されていない構成要素については、本発明の課題を達成するのに必ずしも必要ではないが、より好ましい形態を構成するものとして説明される。
【００２５】
（実施の形態１）
実施の形態１に係る印刷システムでは、携帯端末が無線親機として機能し、プリンタが無線子機として機能する。そして、プリンタの無線接続の状態を元の接続状態に戻すと判定された場合に、プリンタの無線接続の状態は自動的に元の接続状態に戻る。例えば、プリンタにおいて印刷が終了したと判定された場合に、プリンタは、携帯端末と無線接続される前に無線接続されていた通信装置との無線接続を自動的に再開する。以下に、このような本実施の形態に係る印刷システムについて、図面を参照しながら具体的に説明する。
【００２６】
［印刷システムの構成］
図１は、実施の形態１に係る印刷システム１０の構成を示す図である。図１において、有線接続は実線で表され、無線接続は破線で表される。印刷システム１０は、携帯端末１００と、プリンタ２００と、アクセスポイント３００と、パーソナルコンピュータ４００とを備える。
【００２７】
携帯端末１００は、携帯して使用可能な機器であり、無線通信機能を有する。携帯端末１００は、携帯機器あるいは携帯通信機器とも呼ばれる。例えば、携帯端末１００は、ＩＥＥＥ  ８０２．１１等の標準規格に従って無線ＬＡＮに接続する。
【００２８】
また、携帯端末１００は、タッチ入力可能な表示画面（タッチスクリーン）を有してもよい。この場合、携帯端末１００は、当該タッチスクリーンを介してユーザから入力を受け付ける。具体的には、携帯端末１００は、例えば、スマートフォン、タブレットコンピュータ、およびデジタルカメラなどであってもよい。
【００２９】
プリンタ２００は、電子データを紙などの記録媒体に印刷する。例えば、プリンタ２００は、インクジェットプリンタおよびレーザプリンタなどである。なお、プリンタ２００は、画像読み取り機能を有する複合機であってもよい。
【００３０】
ここでは、プリンタ２００は、無線通信機能を有する。例えば、プリンタ２００は、ＩＥＥＥ  ８０２．１１等の標準規格に従って無線ＬＡＮに接続する。
【００３１】
アクセスポイント３００は、プリンタ２００とは異なる通信装置の一例である。アクセスポイント３００は、無線ＬＡＮにおいて無線親機として機能し、複数の無線子機の相互接続を仲介する。アクセスポイント３００は、ルータとして機能してもよい。
【００３２】
パーソナルコンピュータ４００は、アクセスポイント３００と有線接続されている。パーソナルコンピュータ４００は、アクセスポイント３００を介して、ＬＡＮ上の機器と通信を行う。
【００３３】
図１の（ａ）では、携帯端末１００およびプリンタ２００の各々は、無線子機として、アクセスポイント３００と無線接続されている。ここでは、図１の（ａ）のように、携帯端末１００がアクセスポイント３００と無線接続されている状態、および、プリンタ２００がアクセスポイント３００と無線接続されている状態をそれぞれ第１接続状態と呼ぶ。この第１接続状態では、パーソナルコンピュータ４００は、プリンタ２００に印刷データを送信することができる。
【００３４】
なお、図１の（ａ）に示す第１接続状態は、一例であり、このような状態に限らない。例えば、第１接続状態において、携帯端末１００は、いずれの通信装置とも無線接続されていなくてもよい。また、第１接続状態において、プリンタ２００は、いずれの通信装置とも無線接続されていなくてもよい。
【００３５】
図１の（ｂ）では、携帯端末１００およびプリンタ２００は、互いに無線接続されている。ここでは、携帯端末１００が無線親機であり、プリンタ２００が無線子機である。図１の（ｂ）のように、携帯端末１００およびプリンタ２００が直接接続されている状態を第２接続状態と呼ぶ。この第２接続状態では、パーソナルコンピュータ４００は、プリンタ２００に印刷データを送信することができない。
【００３６】
なお、図１の（ｂ）に示す第２接続状態は、一例であり、このような状態に限らない。例えば、第２接続状態において、携帯端末１００は、プリンタ２００との無線接続に加えて、公衆電話網に接続されていてもよい。
【００３７】
［携帯端末およびプリンタの機能構成］
次に、携帯端末１００およびプリンタ２００の機能構成について説明する。図２は、実施の形態１に係る携帯端末１００およびプリンタ２００の機能構成を示すブロック図である。
【００３８】
まず、携帯端末１００の機能構成について説明する。図２に示すように、携帯端末１００は、通信部１１０と、制御部１２０とを備える。
【００３９】
通信部１１０は、無線信号を受信および送信する。例えば、通信部１１０は、無線親機である自装置（携帯端末１００）と無線接続するための接続情報を含む報知信号をブロードキャストで送信する。また通信部１１０は、プリンタ２００に印刷データを送信する。
【００４０】
制御部１２０は、携帯端末１００の各種動作を制御する。制御部１２０は、接続部１２１と、判定部１２２と、復帰部１２３とを備える。
【００４１】
接続部１２１は、アクセスポイント３００と無線接続された第１接続状態において、プリンタ２００との無線接続を開始することにより、第１接続状態から、プリンタ２００と無線接続される状態である第２接続状態へ切り替える。本実施の形態では、接続部１２１は、インフラストラクチャモードでプリンタ２００との無線接続を行う。
【００４２】
判定部１２２は、第２接続状態において、元の接続状態（第１接続状態）に戻すか否かを判定する。例えば、判定部１２２は、印刷データの送信が終了したか否かを判定することにより、元の接続状態に戻すか否かを判定する。具体的には、判定部１２２は、印刷データの送信が終了したと判定された場合に、元の接続状態に戻すと判定する。
【００４３】
復帰部１２３は、元の接続状態に戻すと判定された場合に、携帯端末１００の無線接続の状態を第１接続状態に戻す。つまり、復帰部１２３は、携帯端末１００の無線接続の状態を元の接続状態に自動的に戻す。ここでは、復帰部１２３は、元の接続状態に戻すと判定された場合に、プリンタ２００との無線接続を切断し、アクセスポイント３００に再接続要求を送信し、アクセスポイント３００との無線接続を自動的に再開する。
【００４４】
具体的には、復帰部１２３は、例えば、印刷データの送信が終了したと判定された場合に、携帯端末１００の無線接続の状態を第１接続状態に戻す。
【００４５】
また例えば、復帰部１２３は、携帯端末１００を停止状態にするための動作が開始された場合に、携帯端末１００の無線接続の状態を第１接続状態に戻してもよい。停止状態とは、例えば、シャットダウン、スタンバイおよびスリープなどである。
【００４６】
次に、プリンタ２００の機能構成について説明する。図２に示すように、プリンタ２００は、通信部２１０と、制御部２２０と、印刷部２３０とを備える。
【００４７】
通信部２１０は、無線信号を受信および送信する。例えば、通信部２１０は、携帯端末１００からブロードキャストで発信される無線信号であって、携帯端末１００と無線接続するための接続情報を含む無線信号である報知信号を受信する。また例えば、通信部２１０は、携帯端末１００から印刷データを受信する。
【００４８】
制御部２２０は、プリンタ２００の各種動作を制御する。制御部２２０は、接続部２２１と、判定部２２２と、復帰部２２３とを備える。
【００４９】
接続部２２１は、アクセスポイント３００と無線接続された第１接続状態において、報知信号に含まれる接続情報を用いて携帯端末１００との無線接続を開始することにより、第１接続状態から第２接続状態へ切り替える。
【００５０】
判定部２２２は、第２接続状態において、元の接続状態（第１接続状態）に戻すか否かを判定する。例えば、判定部２２２は、印刷が終了したか否かを判定することにより、元の接続状態に戻すか否かを判定する。具体的には、判定部２２２は、印刷が終了したと判定された場合に、元の接続状態に戻すと判定する。
【００５１】
復帰部２２３は、元の接続状態に戻すと判定された場合に、プリンタ２００の無線接続の状態を第１接続状態に戻す。つまり、復帰部２２３は、プリンタ２００の無線接続の状態を元の接続状態に自動的に戻す。本実施の形態では、復帰部２２３は、元の接続状態に戻すと判定された場合に、携帯端末１００との無線接続を切断し、アクセスポイント３００に再接続要求を送信し、アクセスポイント３００との無線接続を自動的に再開する。
【００５２】
具体的には、復帰部２２３は、例えば、印刷が終了したと判定された場合に、プリンタ２００の無線接続の状態を第１接続状態に戻してもよい。また例えば、復帰部２２３は、プリンタ２００を停止状態にするための動作が開始された場合に、プリンタ２００の無線接続の状態を第１接続状態に戻してもよい。
【００５３】
印刷部２３０は、第２接続状態において携帯端末１００から受信される印刷データに基づいて印刷を行う。つまり、印刷部２３０は、文書データおよび画像データなどの印刷データを用いて、紙などの媒体に文書および画像などを印刷する。
【００５４】
［印刷システムの動作］
次に、以上のように構成された印刷システム１０の動作について説明する。図３は、実施の形態１に係る携帯端末１００およびプリンタ２００間のメッセージおよびデータの流れを示すシーケンス図である。ここでは、携帯端末１００およびプリンタ２００がアクセスポイント３００に無線接続されている第１接続状態を初期状態として説明する。
【００５５】
まず、ユーザは、携帯端末１００において、プリンタ２００を用いて印刷を行うためのアプリケーションソフトウェアを起動する。そして、ユーザは、アプリケーションソフトウェアのユーザインタフェースを介して印刷対象を選択することにより、印刷対象の印刷を指示する。
【００５６】
このとき、携帯端末１００の通信部１１０は、ビーコンをブロードキャストで発信する（Ｓ１０１）。ビーコンとは、携帯端末と無線接続するための接続情報を含む報知信号の一例である。つまり、通信部１１０は、無線子機モードから無線親機モードに切り替えてビーコンを発信する。
【００５７】
プリンタ２００の通信部２１０は、ビーコンを受信する。そして、接続部２２１は、接続処理を実行する（Ｓ２０１）。具体的には、接続部２２１は、ビーコンに含まれる接続情報を用いて携帯端末１００との無線接続を開始する。携帯端末１００の接続部１２１も接続処理を実行する（Ｓ１０２）。接続処理とは、認証およびアソシエーションなどである。この接続処理により、携帯端末１００とプリンタ２００との無線接続が確立される。
【００５８】
つまり、携帯端末１００およびプリンタ２００とアクセスポイント３００との接続が切断され、携帯端末１００とプリンタ２００とが接続される。つまり、第１接続状態から第２接続状態に切り替えられる。ここでは、携帯端末１００が無線親機であり、プリンタ２００が無線子機である。
【００５９】
次に、携帯端末１００の通信部１１０は、印刷データをプリンタ２００へ送信する（Ｓ１０３）。具体的には、通信部１１０は、例えば、アプリケーションソフトウェアにおいてユーザによって選択された画像のデータを印刷データとして送信する。
【００６０】
プリンタ２００の印刷部２３０は、受信された印刷データに基づいて印刷を行う（Ｓ２０２）。続いて、判定部２２２は、元の接続状態（第１接続状態）に戻すか否かを判定する（Ｓ２０３）。ここで、元の接続状態に戻すと判定された場合、復帰部２２３は、プリンタ２００の無線接続の状態を元の接続状態（第１接続状態）に戻す（Ｓ２０４）。本実施の形態では、復帰部２２３は、携帯端末１００との無線接続を切断するとともに、アクセスポイント３００との無線接続を再開する。
【００６１】
一方、携帯端末１００の判定部１２２も、プリンタ２００の判定部２２２と同様に、元の接続状態に戻すか否かを判定する（Ｓ１０４）。ここで、元の接続状態に戻すと判定された場合、復帰部１２３は、携帯端末１００の無線接続の状態を元の接続状態（第１接続状態）に戻す（Ｓ１０５）。つまり、復帰部１２３は、プリンタ２００との無線接続を切断するとともに、アクセスポイント３００との無線接続を再開する。
【００６２】
［携帯端末の動作］
次に、携帯端末１００の動作の詳細について説明する。図４は、実施の形態１に係る携帯端末１００の処理動作を示すフローチャートである。
【００６３】
まず、制御部１２０は、ユーザからの印刷指示を受け付けたか否かを判定する（Ｓ１５１）。ここで、印刷指示が受け付けられていない場合（Ｓ１５１のＮｏ）、ステップＳ１５１の処理に戻る。一方、印刷指示が受け付けられている場合（Ｓ１５１のＹｅｓ）、通信部１１０は、ビーコンを発信する（Ｓ１５２）。
【００６４】
ビーコンには、ＳＳＩＤ（Ｓｅｒｖｉｃｅ  Ｓｅｔ  Ｉｄｅｎｔｉｆｉｅｒ）が含まれる。このＳＳＩＤは、例えば、アプリケーションソフトウェアを識別するための予め定められた文字列を含む。
【００６５】
接続部１２１は、プリンタ２００との無線接続を確立する（Ｓ１５３）。ここで、携帯端末１００の無線接続の状態は、第１接続状態から第２接続状態に切り替わる。なお、接続部１２１は、メモリ（図示せず）に、第１接続状態に戻すための情報を保存してもよい。例えば、接続部１２１は、アクセスポイント３００の接続情報をメモリに保存してもよい。
【００６６】
通信部１１０は、第２接続状態において印刷データをプリンタ２００に送信する（Ｓ１５４）。
【００６７】
判定部１２２は、元の接続状態（第１接続状態）に戻すか否かを判定する（Ｓ１５５）。例えば、判定部１２２は、印刷データの送信が終了した場合に、元の接続状態に戻すと判定する。また例えば、判定部１２２は、プリンタ２００との無線接続が切断された場合に、元の接続状態に戻すと判定してもよい。また例えば、判定部１２２は、携帯端末１００を停止状態にするための動作が開始された場合に、元の接続状態に戻すと判定してもよい。
【００６８】
ここで、元の接続状態に戻すと判定された場合（Ｓ１５５のＹｅｓ）、復帰部１２３は、プリンタ２００との無線接続を切断し、アクセスポイント３００との無線接続を再開することにより、元の接続状態に戻す（Ｓ１５６）。例えば、復帰部１２３は、メモリに保存されたアクセスポイント３００の接続情報を用いて元の接続状態に戻す。一方、元の接続状態に戻すと判定されなかった場合（Ｓ１５５のＮｏ）、ステップＳ１５５の処理を繰り返す。
【００６９】
［プリンタの動作］
次に、プリンタ２００の動作の詳細について説明する。図５は、実施の形態１に係るプリンタ２００の処理動作を示すフローチャートである。
【００７０】
まず、ビーコンが受信されたか否かが判定される（Ｓ２５１）。ここで、ビーコンが受信された場合（Ｓ２５１のＹｅｓ）、接続部２２１は、当該ビーコンを発信した無線親機との接続を開始するか否かを判定する（Ｓ２５２）。接続を開始すると判定された場合（Ｓ２５２のＹｅｓ）、接続部２２１は、プリンタ２００との無線接続を確立する（Ｓ２５３）。その結果、プリンタ２００の無線接続の状態は、第１接続状態から第２接続状態に切り替わる。
【００７１】
具体的には、接続部２２１は、例えば、ビーコンに含まれるＳＳＩＤが予め定められた文字列を含むか否かを判定し、ＳＳＩＤが予め定められた文字列を含む場合に、ビーコンを発信した無線親機（携帯端末１００）との接続を開始する。予め定められた文字列は、携帯端末１００のアプリケーションソフトウェアを識別するための文字列である。
【００７２】
また例えば、接続部２２１は、ビーコンの信号強度が閾値強度以上か否かを判定し、ビーコンの信号強度が閾値強度以上の場合にビーコンを発信した無線親機（携帯端末１００）との無線接続を開始してもよい。
【００７３】
ここで、接続部２２１は、メモリ（図示せず）に、第１接続状態に戻すための情報を保存してもよい。例えば、接続部２２１は、アクセスポイント３００の接続情報をメモリに保存してもよい。
【００７４】
なお、ビーコンが受信されていない場合（Ｓ２５１のＮｏ）、または、接続を開始すると判定されなかった場合（Ｓ２５２のＮｏ）、ステップＳ２５１の処理に戻る。
【００７５】
続いて、通信部２１０は、印刷データを受信する（Ｓ２５４）。そして、印刷部２３０は、印刷データに基づいて印刷を行う（Ｓ２５５）。
【００７６】
判定部２２２は、元の接続状態（第１接続状態）に戻すか否かを判定する（Ｓ２５６）。例えば、判定部２２２は、印刷が終了した場合に、元の接続状態に戻すと判定してもよい。また例えば、判定部２２２は、携帯端末１００との無線接続が切断された場合に、元の接続状態に戻すと判定してもよい。また例えば、判定部２２２は、プリンタ２００を停止状態にするための動作が開始された場合に、元の接続状態に戻すと判定してもよい。
【００７７】
ここで、元の接続状態に戻すと判定された場合（Ｓ２５６のＹｅｓ）、復帰部２２３は、元の接続状態に戻す（Ｓ２５７）。本実施の形態では、復帰部２２３は、携帯端末１００との無線接続を切断し、アクセスポイント３００との無線接続を再開することにより、元の接続状態に戻す。例えば、復帰部２２３は、メモリに保存されたアクセスポイント３００の接続情報を用いて元の接続状態に戻す。
【００７８】
一方、元の接続状態に戻すと判定されなかった場合（Ｓ２５６のＮｏ）、ステップＳ２５６の処理を繰り返す。
【００７９】
［効果］
以上のように、本実施の形態に係るプリンタ２００によれば、携帯端末１００から報知信号が発信される場合において、印刷が終了したと判定されたときに、プリンタ２００の無線接続の状態を元の接続状態（第１接続状態）に戻すことができる。したがって、無線親機である携帯端末１００と無線子機であるプリンタ２００との印刷のための無線接続が不要となったときに、プリンタ２００の無線接続の状態を自動的に元の接続状態に戻すことができる。つまり、プリンタ２００の無線接続の状態を適切に切り替えることができる。例えば、プリンタ２００が携帯端末１００に無線接続されている第２接続状態から、プリンタがアクセスポイントに接続されている第１接続状態に自動的に切り替えることができる。この場合、プリンタがアクセスポイント３００と接続されていない時間を短縮することができるので、アクセスポイント３００を介してプリンタに接続される他の通信装置（例えばパーソナルコンピュータ４００）からの印刷が不可能な時間を短縮することができる。また、印刷が終了した後に元の接続状態に戻すための操作をユーザが手動で行う必要がないので、ユーザの利便性を向上させることも可能となる。
【００８０】
また、本実施の形態に係るプリンタ２００によれば、プリンタ２００を停止状態にするための動作が開始された場合に、プリンタ２００の無線接続の状態を第１接続状態に戻すことができる。したがって、その後、プリンタ２００が稼働状態に戻ったときに、ユーザが手動で無線接続先を携帯端末１００から他の通信装置に切り替える必要がなく、ユーザの利便性を向上させることができる。
【００８１】
また、本実施の形態に係るプリンタ２００によれば、ＳＳＩＤが予め定められた文字列を含むと判定された場合に携帯端末１００との無線接続を開始することができる。したがって、プリンタ２００を利用可能な携帯端末１００またはアプリケーションソフトウェアを限定することができ、印刷ができないなどの不要な混乱を抑制することができる。
【００８２】
また、本実施の形態に係るプリンタ２００によれば、報知信号の強度が閾値強度以上であると判定された場合に携帯端末１００との無線接続を開始することができる。したがって、プリンタ２００から大きく離れている携帯端末１００がプリンタ２００と無線接続することを抑制することができ、プリンタ２００のセキュリティを向上させることができる。
【００８３】
また、本実施の形態に係る携帯端末１００によれば、印刷データの送信が終了したと判定された場合に、携帯端末１００の無線接続の状態を元の接続状態（第１接続状態）に戻すことができる。したがって、携帯端末１００とプリンタ２００との印刷のための無線接続が不要となったときに、携帯端末１００の無線接続の状態を自動的に元の接続状態に戻すことができる。つまり、携帯端末１００の無線接続の状態を適切に切り替えることができる。例えば、印刷のためにプリンタ２００に無線接続されている第２接続状態から、インターネット通信のためにアクセスポイント３００に接続されている第１接続状態に自動的に切り替えることができる。この場合、携帯端末１００がアクセスポイント３００と接続されていない時間を短縮することができる。また、印刷データの送信が終了した後に、元の接続状態に戻すための操作をユーザが手動で行う必要がないので、ユーザの利便性を向上させることも可能となる。
【００８４】
また、本実施の形態に係る携帯端末１００によれば、携帯端末１００を停止状態にするための動作が開始された場合に、携帯端末１００の無線接続の状態を第１接続状態に戻すことができる。したがって、その後、携帯端末１００が稼働状態に戻ったときに、ユーザが手動で無線接続先をプリンタ２００から他の通信装置に切り替える必要がなく、ユーザの利便性を向上させることができる。
【００８５】
（実施の形態２）
次に、実施の形態２について説明する。実施の形態２に係る印刷システムでは、プリンタが無線親機として機能し、携帯端末が無線子機として機能する。そして、携帯端末の無線接続の状態を元の接続状態に戻すと判定された場合に、携帯端末の無線接続の状態は自動的に元の接続状態に戻る。例えば、携帯端末において印刷データの送信が終了したと判定された場合に、携帯端末は、プリンタと無線接続される前に無線接続されていた通信装置との無線接続を自動的に再開する。以下に、このような本実施の形態に係る印刷システムについて、実施の形態１と異なる点を中心に図面を参照しながら具体的に説明する。
【００８６】
［印刷システムの構成］
図６は、実施の形態２に係る印刷システム１０Ａの構成を示す図である。図６において、実施の形態１と同様の構成要素については同一の符号で表し、説明を適宜省略する。印刷システム１０Ａは、携帯端末１００Ａと、プリンタ２００Ａと、アクセスポイント３００と、パーソナルコンピュータ４００とを備える。
【００８７】
図６の（ａ）の第１接続状態では、携帯端末１００Ａは、無線子機としてアクセスポイント３００と無線接続されている。また、プリンタ２００Ａは、無線親機としてビーコンをブロードキャストで発信している。ただし、プリンタ２００Ａは、いずれの通信装置とも無線接続されていない。
【００８８】
図６の（ｂ）の第２接続状態では、携帯端末１００およびプリンタ２００は、互いに無線接続されている。ここでは、携帯端末１００が無線子機であり、プリンタ２００が無線親機である。
【００８９】
［携帯端末およびプリンタの機能構成］
携帯端末およびプリンタの機能構成について説明する。図７は、実施の形態２に係る携帯端末１００Ａおよびプリンタ２００Ａの機能構成を示すブロック図である。図７において、実施の形態１の図２と同様の構成要素については同一の符号を付し、説明を適宜省略する。
【００９０】
まず、携帯端末１００Ａの機能構成について説明する。図７に示すように、携帯端末１００Ａは、通信部１１０Ａと、制御部１２０Ａとを備える。
【００９１】
通信部１１０Ａは、無線信号を受信および送信する。例えば、通信部１１０Ａは、プリンタ２００Ａから発信された報知信号を受信する。具体的には、通信部１１０Ａは、例えばビーコンを受信する。また例えば、通信部１１０Ａは、プリンタ２００Ａに印刷データを送信する。
【００９２】
制御部１２０Ａは、接続部１２１Ａと、判定部１２２と、復帰部１２３とを備える。
【００９３】
接続部１２１Ａは、アクセスポイント３００と無線接続された第１接続状態において、プリンタ２００Ａとの無線接続を開始することにより、第１接続状態から、プリンタ２００と無線接続される状態である第２接続状態へ切り替える。
【００９４】
次に、プリンタ２００Ａの機能構成について説明する。図２に示すように、プリンタ２００Ａは、通信部２１０Ａと、制御部２２０Ａと、印刷部２３０とを備える。
【００９５】
通信部２１０Ａは、無線信号を受信および送信する。例えば、通信部２１０Ａは、無線接続するための接続情報を含む報知信号をブロードキャストで発信する。また例えば、通信部２１０Ａは、携帯端末１００Ａから印刷データを受信する。
【００９６】
制御部２２０Ａは、接続部２２１Ａと、判定部２２２と、復帰部２２３とを備える。
【００９７】
接続部２２１Ａは、アクセスポイント３００と無線接続された第１接続状態において携帯端末１００との無線接続を開始することにより、第１接続状態から第２接続状態へ切り替える。接続部２２１Ａは、インフラストラクチャモードで携帯端末１００Ａとの無線接続を行う。
【００９８】
［印刷システムの動作］
次に、以上のように構成された印刷システム１０Ａの動作について説明する。図８は、実施の形態２に係る携帯端末１００Ａおよびプリンタ２００Ａ間のメッセージおよびデータの流れを示すシーケンス図である。ここでは、携帯端末１００Ａがアクセスポイント３００に無線接続されている第１接続状態を初期状態として説明する。なお、図８において、実施の形態１の図３と同様のステップについては、同一の符号を付し、説明を適宜省略する。
【００９９】
まず、プリンタ２００Ａの通信部２１０Ａは、ビーコンをブロードキャストで発信する（Ｓ２１１）。例えば、通信部２１０Ａは、所定の周期（例えば１００ミリ秒）でビーコンを発信する。
【０１００】
ユーザは、携帯端末１００Ａにおいて、印刷のためのアプリケーションソフトウェアを起動する。そして、ユーザは、アプリケーションソフトウェアにおいて印刷対象を選択することにより印刷対象の印刷を指示する。
【０１０１】
このとき、携帯端末１００Ａの通信部１１０Ａは、接続要求信号をブロードキャストで発信する（Ｓ１１１）。接続要求信号とは、無線親機に無線接続を要求する無線信号である。プローブリクエストは、接続要求信号の一例である。
【０１０２】
次に、プリンタ２００Ａの通信部２１０Ａは、接続要求信号を受信し、当該接続要求信号に対応する接続応答信号を携帯端末１００Ａに送信する（Ｓ２１２）。プローブレスポンスは、接続応答信号の一例である。
【０１０３】
以上のような接続要求信号および接続応答信号の送受信が行われた後に接続処理（Ｓ１１２、Ｓ２１３）が行われる。その結果、第１接続状態から第２接続状態に切り替えられる。ここでは、プリンタ２００Ａが無線親機であり、携帯端末１００Ａが無線子機である。
【０１０４】
その後、ステップＳ１０３〜ステップＳ１０５およびステップＳ２０３〜ステップＳ２０５の処理が実行され、携帯端末１００Ａおよびプリンタ２００Ａの無線接続の状態は、第１接続状態に戻る。
【０１０５】
［携帯端末の動作］
次に、携帯端末１００Ａの動作の詳細について説明する。図９は、実施の形態２に係る携帯端末１００Ａの処理動作を示すフローチャートである。図９では、通信部１１０Ａは、無線親機であるプリンタ２００Ａから発信されたビーコンを周期的に受信しているとする。また、図９において、実施の形態１の図４と同様のステップについては、同一の符号を付し、説明を適宜省略する。
【０１０６】
まず、制御部１２０Ａは、ユーザからの印刷指示を受け付けたか否かを判定する（Ｓ１５１）。ここで、印刷指示が受け付けられていない場合（Ｓ１５１のＮｏ）、ステップＳ１５１の処理に戻る。
【０１０７】
印刷指示が受け付けられている場合（Ｓ１５１のＹｅｓ）、接続部１２１Ａは、ビーコンを発信した無線親機との接続を開始するか否かを判定する（Ｓ１６１）。具体的には、接続部１２１Ａは、ビーコンが所定の条件を満たすか否かを判定し、判定結果に応じて当該ビーコンを発信した無線親機（ここでは、プリンタ２００Ａ）との接続を開始するか否かを判定する。
【０１０８】
より具体的には、接続部１２１Ａは、例えば、ビーコンに含まれるＳＳＩＤが予め定められた文字列を含むか否かを判定し、ＳＳＩＤが予め定められた文字列を含む場合に無線親機との接続を開始すると判定してもよい。予め定められた文字列は、アプリケーションソフトウェアに対応するプリンタを識別するための文字列である。また例えば、接続部１２１Ａは、ビーコンの信号強度が閾値強度以上であるか否かを判定し、ビーコンの信号強度が閾値強度以上である場合に無線親機との接続を開始すると判定してもよい。
【０１０９】
ここで、無線親機との接続を開始すると判定されなかった場合（Ｓ１６１のＮｏ）、ステップＳ１５１の処理に戻る。一方、無線親機との接続を開始すると判定された場合（Ｓ１６１のＹｅｓ）、通信部１１０Ａは、ビーコンに含まれるＳＳＩＤを含むプローブリクエストをブロードキャストで発信する（Ｓ１６２）。
【０１１０】
通信部１１０Ａは、無線親機であるプリンタ２００Ａからプローブレスポンスを受信する（Ｓ１６３）。接続部１２１Ａは、プリンタ２００Ａとの無線接続を確立する（Ｓ１６４）。ここで、携帯端末１００Ａの無線接続の状態は、第１接続状態から第２接続状態に切り替わる。
【０１１１】
その後、携帯端末１００Ａは、ステップＳ１５４〜ステップＳ１５６の処理を実行する。
【０１１２】
［プリンタの動作］
次に、プリンタ２００Ａの動作の詳細について説明する。図１０は、実施の形態２に係るプリンタ２００Ａの処理動作を示すフローチャートである。図１０では、通信部２１０Ａは周期的にビーコンを発信しているとする。また、図１０において、実施の形態１の図５と同様のステップについては、同一の符号を付し、説明を適宜省略する。
【０１１３】
まず、制御部２２０Ａは、自装置（プリンタ２００Ａ）のＳＳＩＤを含むプローブリクエストを受信したか否かを判定する（Ｓ２６１）。ここで、プローブリクエストを受信していない場合（Ｓ２６１のＮｏ）、ステップＳ２６１の処理を繰り返す。
【０１１４】
一方、プローブリクエストを受信している場合（Ｓ２６１のＹｅｓ）、通信部２１０Ａは、プローブレスポンスを送信する（Ｓ２６２）。そして、接続部２２１Ａは、携帯端末１００Ａとの無線接続を確立する（Ｓ２６３）。ここで、プリンタ２００Ａの無線接続の状態は、第１接続状態から第２接続状態に切り替わる。
【０１１５】
その後、プリンタ２００Ａは、ステップＳ２５４〜ステップＳ２５７の処理を実行する。
【０１１６】
［効果］
以上のように、本実施の形態に係る携帯端末１００Ａによれば、プリンタ２００Ａから報知信号が発信される場合において、印刷データの送信が終了したとされたときに、携帯端末１００Ａの無線接続の状態を元の接続状態（第１接続状態）に戻すことができる。つまり、プリンタ２００Ａが無線親機であり、携帯端末１００Ａが無線子機である場合に、携帯端末１００Ａの無線接続の状態を適切に切り替えることができる。
【０１１７】
また、本実施の形態に係るプリンタ２００Ａによれば、インフラストラクチャモードで携帯端末１００Ａと無線接続する場合にも、携帯端末１００Ａおよびプリンタ２００Ａの無線接続の状態を適切に切り替えることができる。インフラストラクチャモードは、アドホックモードのように一対一の接続に限定されないので、プリンタ２００Ａは、複数の携帯端末と同時に無線接続することができる。したがって、プリンタ２００Ａの可用性を向上させることができる。また、インフラストラクチャモードは、一般的な無線接続方式であり、アドホックモードよりも低コストでプリンタおよび携帯端末の開発を行うことができる。
【０１１８】
また、本実施の形態に係るプリンタ２００Ａによれば、印刷が終了したと判定された場合に、プリンタ２００Ａの無線接続の状態を元の接続状態（第１接続状態）に戻すことができる。したがって、プリンタ２００Ａは、携帯端末１００Ａのために占有された資源（例えば、同時接続数の制限、ＩＰアドレス等）を早期に開放することができ、プリンタ２００Ａを有効に活用することができる。
【０１１９】
（実施の形態３）
次に、実施の形態３に係る印刷システムについて説明する。実施の形態３に係る印刷システムは、複数のプリンタを備える点が、実施の形態２と異なる。つまり、本実施の形態では、複数のプリンタのそれぞれが無線親機として機能し、携帯端末が無線子機として機能する。以下に、このような本実施の形態に係る印刷システムについて、実施の形態１および２と異なる点を中心に図面を参照しながら具体的に説明する。
【０１２０】
［印刷システムの構成］
図１１は、実施の形態３に係る印刷システム１０Ｂの構成を示す図である。図１１において、実施の形態２と同様の構成要素については同一の符号で表し、説明を適宜省略する。印刷システム１０Ｂは、携帯端末１００Ｂと、プリンタ２００Ａと、プリンタ２００Ｂと、アクセスポイント３００と、パーソナルコンピュータ４００とを備える。
【０１２１】
［携帯端末およびプリンタの機能構成］
携帯端末およびプリンタの機能構成について説明する。図１２は、実施の形態３に係る携帯端末１００Ｂおよびプリンタ２００Ａ、２００Ｂの機能構成を示すブロック図である。図７において、実施の形態１の図２と同様の構成要素については同一の符号を付し、説明を適宜省略する。また、プリンタ２００Ｂの機能構成は、プリンタ２００Ａと同様であるので内部構成の図示を省略する。
【０１２２】
携帯端末１００Ｂは、通信部１１０Ａと、制御部１２０Ｂとを備える。そして、制御部１２０Ｂは、接続部１２１Ａ、判定部１２２および復帰部１２３に加えて、選択部１２４Ｂを備える。
【０１２３】
選択部１２４Ｂは、複数のプリンタの中から、印刷データを送信するプリンタを選択する。例えば、選択部１２４Ｂは、ユーザによって指示されたプリンタを選択する。
【０１２４】
［印刷システムの動作］
次に、以上のように構成された印刷システム１０Ｂの動作について説明する。図１３は、実施の形態３に係る携帯端末１００Ｂおよびプリンタ２００Ａ、２００Ｂ間のメッセージおよびデータの流れを示すシーケンス図である。なお、図１３において、実施の形態２の図８と同様のステップについては、同一の符号を付し、説明を適宜省略する。
【０１２５】
まず、プリンタ２００Ｂは、プリンタ２００Ａと同様に、ビーコンをブロードキャストで発信する（Ｓ２２１）。
【０１２６】
ユーザは、携帯端末１００Ａにおいて、印刷のためのアプリケーションソフトウェアを起動する。そして、ユーザは、アプリケーションソフトウェアにおいて印刷対象を選択することにより印刷対象の印刷を指示する。
【０１２７】
このとき、携帯端末１００Ｂの選択部１２４Ｂは、複数のプリンタの中から無線接続を開始するプリンタを選択する（Ｓ１２１）。ここでは、プリンタ２００Ａが選択されたと仮定する。
【０１２８】
例えば、選択部１２４Ｂは、ビーコンに含まれる接続情報に基づいて、プリンタを選択するための情報を画面に表示する。そして、選択部１２４Ｂは、画面に表示された情報に対するユーザの選択を受け付ける。また例えば、選択部１２４Ｂは、最も信号強度が高いビーコンを発信したプリンタを選択してもよい。
【０１２９】
続いて、携帯端末１００Ｂの通信部１１０Ａは、選択されたプリンタのＳＳＩＤを含む接続要求信号をブロードキャストで発信する（Ｓ１２２）。次に、プリンタ２００Ａの通信部２１０Ａは、接続要求信号を受信し、当該接続要求信号に対応する接続応答信号を携帯端末１００Ｂに送信する（Ｓ２１２）。
【０１３０】
一方、プリンタ２００Ｂは、接続要求信号を受信するが、当該接続要求信号に対応する接続応答信号を携帯端末１００Ｂに送信しない。これは、接続要求信号に自装置（プリンタ２００Ｂ）のＳＳＩＤが含まれていないからである。
【０１３１】
以上のような接続要求信号および接続応答信号の送受信が行われた後に、実施の形態２と同様の処理が行われる。
【０１３２】
［携帯端末の動作］
次に、携帯端末１００Ｂの動作の詳細について説明する。図１４は、実施の形態３に係る携帯端末１００Ｂの処理動作を示すフローチャートである。図１４では、実施の形態２の図９と同様のステップについては、同一の符号を付し、説明を適宜省略する。
【０１３３】
ステップＳ１５１およびステップＳ１６１の処理の後、選択部１２４Ｂは、複数のプリンタの中から１つのプリンタを選択する（Ｓ１７１）。そして、選択部１２４Ｂは、通信部１１０Ａに、選択されたプリンタのＳＳＩＤを含む接続要求信号をブロードキャストで発信させる（Ｓ１７２）。
【０１３４】
その後、携帯端末１００Ｂは、ステップＳ１６３、ステップＳ１６４、およびステップＳ１５４〜ステップＳ１５６の処理を実行する。
【０１３５】
［効果］
以上のように、本実施の形態に係る携帯端末１００Ｂによれば、複数のプリンタの報知信号を受信した場合に、適切なプリンタを選択することができる。
【０１３６】
（他の実施の形態）
以上、各実施の形態に係る印刷システムについて説明したが、本発明は、この実施の形態に限定されるものではない。
【０１３７】
例えば、上記各実施の形態において、ＳＳＩＤを用いて、無線接続を行うか否かが判定されていたが、他の情報を用いられてもよい。例えば、ＳＳＩＤの代わりに物理アドレス（例えば、ＭＡＣ（Ｍｅｄｉａ  Ａｃｃｅｓｓ  Ｃｏｎｔｒｏｌ）アドレス）が用いられてもよい。この場合、報知信号に含まれる接続情報は無線親機の物理アドレスを含む。そして、例えば実施の形態１において、プリンタ２００の接続部２２１は、接続情報に含まれる物理アドレスが予め定められた番号を含むか否かを判定し、物理アドレスが予め定められた番号を含む場合に携帯端末１００との無線接続を開始してもよい。
【０１３８】
なお、上記各実施の形態において、印刷システムは、アクセスポイントおよびパーソナルコンピュータを備えていたが、これらを備えなくてもよい。印刷システムは、少なくとも携帯端末およびプリンタを備えればよい。
【０１３９】
また、上記各実施の形態において複数の無線親機の報知信号が受信されている場合は、無線子機は、複数の無線親機のうち、最も強度が大きい報知信号を発信した無線親機と無線接続してもよい。
【０１４０】
なお、上記各実施の形態において、プリンタは、ユーザから無線接続の許可を受け付けるためのユーザインタフェース（例えばプッシュボタン）を備えてもよい。この場合、ユーザによって当該ユーザインタフェースを介して無線接続が許可された場合にのみ、プリンタは、携帯端末との無線接続を開始してもよい。また、ユーザインタフェースは、ユーザに無線接続の許可を問い合わせるときに、ユーザインタフェースの態様を変化させてもよい。例えば、ユーザインタフェースがプッシュボタンである場合、当該プッシュボタンを発光させてもよい。これにより、ユーザの利便性を向上させることができる。
【０１４１】
また、上記各実施の形態におけるプリンタおよび携帯端末に、強制的に元の接続状態に戻すためのユーザインタフェースが設けられてもよい。この場合、上記各実施の形態におけるプリンタおよび携帯端末による判定結果に関わらず、強制的に元の接続状態に戻されてもよい。
【０１４２】
また、上記各実施の形態において、元の接続状態に戻すときに、ユーザに確認するための情報をプリンタまたは携帯端末の画面等に表示してもよい。この場合、ユーザから元の接続状態に戻してもよいという承認が得られた場合に、プリンタおよび携帯端末の接続状態が元の接続状態に戻される。なお、当該情報を表示するか否か、あるいは、プリンタおよび携帯端末のいずれの画面に当該情報を表示するかは、携帯端末においてユーザによって選択されてもよい。
【産業上の利用可能性】
【０１４３】
無線通信機能を有するプリンタとして適用することができる。
【符号の説明】
【０１４４】
１０、１０Ａ、１０Ｂ  印刷システム
１００、１００Ａ、１００Ｂ  携帯端末
１１０、１１０Ａ、２１０、２１０Ａ  通信部
１２０、１２０Ａ、１２０Ｂ、２２０、２２０Ａ  制御部
１２１、１２１Ａ、２２１、２２１Ａ  接続部
１２２、２２２  判定部
１２３、２２３  復帰部
１２４Ｂ  選択部
２００、２００Ａ、２００Ｂ  プリンタ
２３０  印刷部
【図１】
2015115925.tif 000003
【図２】
2015115925.tif 000004
【図３】
2015115925.tif 000005
【図４】
2015115925.tif 000006
【図５】
2015115925.tif 000007
【図６】
2015115925.tif 000008
【図７】
2015115925.tif 000009
【図８】
2015115925.tif 000010
【図９】
2015115925.tif 000011
【図１０】
2015115925.tif 000012
【図１１】
2015115925.tif 000013
【図１２】
2015115925.tif 000014
【図１３】
2015115925.tif 000015
【図１４】
2015115925.tif 000016